(57)【特許請求の範囲】
【請求項１】
自転車において前記自転車の運転者が手で操作可能な位置に設置可能な筐体を有し、
前記筐体が、前記自転車側から突出する方向の軸部を中心に回動可能であり、
当該回動に伴い、電気的な切り替えを生じる電子機器であって、
前記自転車に固定可能であり、前記自転車側から突出する前記軸部を中心に、前記筐体を前記回動可能に支持するベースと、
前記筐体内に設けられ、前記ベースに対して対向配置された電装基板と、
前記筐体内において前記電装基板の前記ベースへの対向面から前記ベース側に突出する操作子を有し、前記操作子が前記筐体の回動方向に付勢されることにより電気的に切り換えられるスイッチと、
前記ベースに設けられ、前記筐体及び前記電装基板と共に回動する前記操作子に対して当接して付勢することにより前記スイッチを電気的に切り換える付勢部と
を備えたこと
を特徴とする電子機器。
【請求項２】
前記ベースは、前記自転車に取り付けられたマウントに対して着脱可能に固定されることを特徴とする請求項１に記載の電子機器。
【請求項３】
前記スイッチは、前記操作子が前記筐体の回動方向に倒されることによりオンになること
を特徴とする請求項１又は２に記載の電子機器。
【請求項４】
前記操作子の倒れる方向は、互いに反対方向である２方向であって、
前記スイッチは、前記操作子の前記倒れる方向を検出すること
を特徴とする請求項３に記載の電子機器。
【請求項５】
前記付勢部は、前記筐体が回動されることにより、前記操作子を前記筐体の回動方向とは反対方向に付勢して前記スイッチを切り換えること
を特徴とする請求項１から４の何れかに記載の電子機器。
【請求項６】
前記付勢部は、前記操作子の回動方向の両側又は片側から係止可能である係止部を備えたこと
を特徴とする請求項１から５の何れかに記載の電子機器。
【請求項７】
前記係止部は、前記筐体の回動に伴って回動する前記操作子の回動軌跡上に位置すること
を特徴とする請求項６に記載の電子機器。
【請求項８】
自転車の走行に関する情報を表示可能なサイクルコンピュータであって、
請求項１から７の何れかに記載の電子機器の構成を備えたことを特徴とするサイクルコンピュータ。
【発明の詳細な説明】
【技術分野】
【０００１】
本発明は、電子機器及びサイクルコンピュータに関する。
【背景技術】
【０００２】
従来、自転車のフレームに取り付けられ、自転車の走行に関する各種情報を表示可能なサイクルコンピュータ（以下「サイコン」と呼ぶ。）が知られている。サイコンの筐体上面には表示部が設けられている。そのような筐体上面にボタンを取り付けるには、表示部以外の部分にボタンを配置する為の面積が必要である。しかし表示部は運転者に見えやすいように大きくする必要がある。ボタンを小さくすれば運転者にとって操作しづらくなる。筐体そのものを大きくすれば運転者にとって邪魔になる。
【０００３】
そこで、例えば、表示領域を確保しながら操作性を向上させた表示装置が知られている（例えば特許文献１参照）。この表示装置は、筐体を自転車のバーに固定するための固定具を備える。その筐体は固定具上で回動可能に支持される。さらに筐体における固定具に対向する面から突出するように切換スイッチが設けられている。切換スイッチは第１と第２表示状態の切換えを行なう。例えば筐体を上方から下方に向けて押すことにより、固定具上に支持された筐体が回動し、切換スイッチが固定具により筐体の内方に押し込まれ、第１表示状態と第２表示状態の切換えが行なわれる。
【先行技術文献】
【特許文献】
【０００４】
【特許文献１】特許第４２４６７４１号公報
【発明の概要】
【発明が解決しようとする課題】
【０００５】
しかしながら、特許文献１に記載の表示装置では、切換スイッチが筐体における固定具に対向する面から突出するように設けられ、常に外部に露出した状態である。それ故、切換スイッチに異物等が付着してしまうと、切換スイッチが良好に可動せず、応答性が鈍くなるという問題点があった。さらに、筐体は固定具に対して一端側で回動可能に支持され、その他端側において切換スイッチが固定具に接触して押し込まれるようになっている。それ故、筐体の他端側をピンポイントで押さえなければ切換スイッチが良好に切り替わらないという問題点もあった。
【０００６】
本発明の目的は、スイッチの可動性を良好に維持し、かつ操作性を向上できる電子機器及びサイクルコンピュータを提供することである。
【課題を解決するための手段】
【０００７】
本発明の第一態様に係る電子機器は、自転車において前記自転車の運転者が手で操作可能な位置に設置可能な筐体を有する電子機器であって、前記筐体が、前記自転車側から突出する方向の軸部を中心に回動可能であり、当該回動に伴い、電気的な切り替えを生じることを特徴とする。
前記回動の範囲は、前記筐体を前記手で押したときに、前記筐体が前記自転車側から突出する前記軸部を中心に回動して、回動前の位置に対して斜めに傾くまでの範囲であることを特徴とする。
前記筐体を前記手で回動させた状態で、当該手を前記筐体から離した際に、回動前の位置に前記筐体の位置を戻す戻し手段を備えたこと
を特徴とする。
前記戻し手段は弾性部材を有し、前記弾性部材は、前記筐体が前記回動前の位置から回動するに従い、前記筐体の位置を前記回動前の位置に押し戻そうとする弾性復帰力を生じることを特徴とする。
前記筐体は前記軸部に対して略平行な辺又は前記軸部から離れた角部を有し、
前記回動は、前記角部を前記自転車側から突出する前記軸部を中心に回動する方向に、前記手で押した際に発生させる構造としたことを特徴とする。
前記筐体は、前記運転者が視認可能な表示部を有し、前記筐体の回動に伴って前記表示部に表示される画面を切り替える制御手段を備えたことを特徴とする。
前記制御手段は、前記表示部において、複数の前記画面を順に切り替える機能を有し、前記筐体が回動方向の一方に回動した場合は、前記画面を順方向に切り替え、前記筐体が前記回動方向の他方に回動した場合は、前記画面を逆方向に切り替えることを特徴とする。
前記制御手段は、地図を前記表示部に表示する機能を有し、前記筐体が回動方向の一方に回動した場合は、前記地図を所定方向にスクロール表示し、前記筐体が前記回動方向の他方に回動した場合は、前記地図を前記所定方向とは反対方向にスクロール表示することを特徴とする。
リン音を出力するリン音出力手段と、前記リン音出力手段による前記リン音の出力のオンオフを設定するリン音設定手段とを備え、前記リン音設定手段によって前記リン音の出力がオンされた場合、前記筐体の回動に伴って前記リン音出力手段から前記リン音を出力させることを特徴とする。
前記自転車に固定可能であり、前記自転車側から突出する前記軸部を中心に、前記筐体を前記回動可能に支持するベースと、前記筐体内に設けられ、前記ベースに対して対向配置された電装基板と、前記筐体内において前記電装基板の前記ベースへの対向面から前記ベース側に突出する操作子を有し、前記操作子が前記筐体の回動方向に付勢されることにより電気的に切り換えられるスイッチと、前記ベースに設けられ、前記筐体及び前記電装基板と共に回動する前記操作子に対して当接して付勢することにより前記スイッチを電気的に切り換える付勢部とを備えたことを特徴とする。
前記ベースは、前記自転車に取り付けられたマウントに対して着脱可能に固定されることを特徴とする。
前記スイッチは、前記操作子が前記筐体の回動方向に倒されることによりオンになることを特徴とする。
前記操作子の倒れる方向は、互いに反対方向である２方向であって、前記スイッチは、前記操作子の前記倒れる方向を検出することを特徴とする。
前記付勢部は、前記筐体が回動されることにより、前記操作子を前記筐体の回動方向とは反対方向に付勢して前記スイッチを切り換えることを特徴とする。
前記付勢部は、前記操作子の回動方向の両側又は片側から係止可能である係止部を備えたことを特徴とする。
前記係止部は、前記筐体の回動に伴って回動する前記操作子の回動軌跡上に位置することを特徴とする。
本発明の第二態様に係るサイクルコンピュータは、自転車の走行に関する情報を表示可能なサイクルコンピュータであって、請求項１から１４の何れかに記載の電子機器の構成を備えたことを特徴とする。
本発明の第一態様に係る電子機器は、ベースと、前記ベースに対して回動可能に設けられる筐体と、前記筐体内に設けられ、前記ベースに対して対向配置された電装基板と、前記筐体内において前記電装基板の前記ベースへの対向面から前記ベース側に突出する操作子を有し、前記操作子が付勢されることにより電気的に切り換えられるスイッチと、前記ベースに設けられ、前記筐体及び前記電装基板と共に移動する前記操作子に対して当接して付勢することにより前記スイッチを電気的に切り換える付勢部とを備えている。
【０００８】
第一態様によれば、操作子は筐体内に位置するので外部に露出しない。よって、異物が操作子に付着するのを防止できる。それ故、操作子の可動性を良好に維持できる。また筐体そのものを移動操作するだけでスイッチの切り換えができるので電子機器の操作性を向上できる。
【０００９】
第一態様において、前記筐体は、前記ベースに設けられた軸部に回動可能に設けられ、前記付勢部は、前記筐体が回動されることにより、前記操作子を前記筐体の回動方向とは反対方向に付勢して前記スイッチを切り換えるようにするとよい。筐体をベースに対して回動させるだけでスイッチを切り換えることができるので電子機器の操作性を向上できる。
【００１０】
第一態様において、前記付勢部は、前記軸部上に設けられ、前記操作子の回動方向の両側又は片側から係止可能である係止部を備えるようにするとよい。係止部は操作子の回動方向の両側又は片側から係止するので、筐体を軸部を中心に回動させることにより、操作子を回動方向の両側又は片側に付勢できる。例えば、両側から係止する場合、スイッチは二方向を検知できる。片側から係止する場合は一方向を検知できる。
【００１１】
第一態様において、前記係止部は、前記筐体の回動に伴って回動する前記操作子の回動軌跡上に位置するようにするとよい。係止部は操作子の回動軌跡上に位置するので、筐体の回動方向と、操作子の付勢方向とを一致させ易い。故に操作子は回動方向とは反対方向に無理なく付勢されることができる。
【００１２】
第一態様において、前記付勢部はリング状に形成されるとよい。付勢部はリング状であるので軽量化できる。
【００１３】
第一態様において、前記筐体内に取り付けられ、前記ベースに対する前記筐体の位置を所定位置に保持する保持部材を備え、前記所定位置は、前記操作子が前記付勢部に付勢されない状態となる前記筐体の位置であるようにするとよい。筐体が回動されても、筐体から手を離すと筐体は保持部材によって所定位置に戻るので、スイッチの操作子が付勢されたままの状態にならない。故に筐体の操作を連続して行うことができ、スイッチもそれに応じて出力態様を切り換えることができる。
【００１４】
第一態様において、前記保持部材は弾性を有する材質で形成され、前記付勢部は、前記保持部材の一部を保持する保持部を備えるようにするとよい。保持部材の弾性力により筐体を所定位置に戻すことができる。
【００１５】
第一態様において、前記スイッチは、前記操作子がレバー式であるジョグスイッチにするとよい。スイッチはレバー式のジョグスイッチであるので、レバーを倒す方向に基づいて方向を検知できる。
【００１６】
第一態様において、前記筐体は略直方体状に形成されるようにするとよい。筐体には角部があるので筐体を回動させ易い。また角部を叩くことでもスイッチを切り換えることができる。
【００１７】
第一態様において、前記筐体を前記ベースより浮かせて保持する弾性部材を備え、前記筐体は前記弾性部材によって前記ベースに対して接離する方向に移動可能であって、前記筐体を前記ベースに向かって押下されることにより、前記操作子が前記付勢部に当接して付勢されるようにするとよい。筐体をベースに向けて押下するだけでスイッチを切り換えることができるので、操作性が向上する。また筐体がベースから全体が浮いているので、筐体のどの部分を押下してもスイッチを切り換えることができる。
【００１８】
第一態様において、前記筐体の底部には開口部が設けられ、前記開口部は前記操作子に対向する位置にあって、前記弾性部材は前記開口部の周囲を取り囲むリング状に形成され、前記筐体の前記底部と前記ベースとの間に設けるとよい。筐体が押下されると、筐体の底部の開口部から操作子が突出するので、操作子は付勢部に当接して付勢されることができる。弾性部材はリング状であるので、筐体全体をバランス良く浮かせることができる。
【００１９】
第一態様において、前記操作子は前記開口部又は前記開口部よりも前記筐体の奥側に位置するようにするとよい。筐体が押下されない通常の状態では、操作子は開口部から出ないので、筐体によって操作子を保護できる。
【００２０】
第一態様において、前記付勢部は、前記操作子に向かって突出する凸部を備えるとよい。付勢部は凸部を備えているので、筐体が押下されることにより、操作子を確実に付勢できる。また凸部であることから応力を集中させ易いので、操作子を簡単に付勢できる。
【００２１】
第一態様において、前記スイッチは、前記操作子を押下することにより電気的に切り替わるタクトスイッチにするとよい。スイッチはタクトスイッチであるので、操作子を付勢部によって押下されることによって、スイッチを電気的に切り換えることができる。
【００２２】
第一態様において、表示手段を備え、前記スイッチは前記操作子の複数の付勢方向を弁別可能なスイッチであり、前記付勢方向に応じて前記表示手段の表示内容を変更する制御手段を備えるとよい。例えば筐体に力をかける方向を変えて操作子の付勢方向を切り変えることにより、例えば表示手段の表示内容を変更できる。それ故、電子機器の操作性を更に向上できる。
【００２３】
第一態様において、前記スイッチとは別の指示入力手段を備え、前記スイッチには、前記指示入力手段よりもより即時性が要求される機能を割り当てるようにするとよい。即時性が要求される機能に対して、筐体を押すだけでスイッチが切り替わるので、例えばその機能を瞬時に発揮させることができる。
【００２４】
第一態様において、前記即時性が要求される機能は、音出力手段による音の出力にするとよい。例えば電子機器が自転車に取り付けられるものであれば、音出力手段はリンにするとよい。リンは危険が迫ったときに即座に鳴らす必要があるからである。一方、指示入力手段には、例えばライトのオンオフなどを割り当てると良い。ライトは停車時にオンオフすればよい程度の即時性しか要求されないからである。
【００２５】
第一態様において、ライトを備え、前記電子機器を被取付部材に取り付けた状態において、前記ライトは、前記筐体を前記被取付部材に対して縦方向とした状態と横方向とした状態の双方の状態において、前記被取付部材の前方方向を照らす位置に配置するとよい。筐体が縦横双方の状態でも常に前方方向を照らすことができる。例えば電子機器を自転車に取り付けた場合、筐体を縦横の何れの状態でも、ライトは常に自転車の前方を照らすことができる。特にライトは筐体の角位置に備えると良い。
【００２６】
本発明の第二態様に係るサイクルコンピュータは、自転車の走行に関する情報を表示可能なサイクルコンピュータであって、請求項１から１４の何れかに記載の電子機器を備え、前記ベースは、前記自転車のフレームに着脱自在に取り付けられることを特徴とする。
【００２７】
第二態様によれば、請求項１から１４の電子機器をサイクルコンピュータに適用できる。自転車走行時のサイクルコンピュータの操作性を向上できる。またサイクルコンピュータのような小型の電子機器は筐体が重くないので、筐体を移動可能に設けることが容易である。
【図面の簡単な説明】
【００２８】
【図１】自転車１００の側面図である。
【図２】サイコン２０がマウント５０を介してハンドルバー１５に取り付けられた状態を示す図である。
【図３】サイコン２０の底面図である。
【図４】サイコン２０がマウント５０に取り付けられる状態を示す図である。
【図５】サイコン２０の回転ベース３０をマウント５０の穴部５７に挿入した状態を示す図である。
【図６】サイコン２０を縦方向に取り付けた状態を示す図である。
【図７】サイコン２０を横方向に取り付けた状態を示す図である。
【図８】下ケース２１Ｂの斜視図である。
【図９】下ケース２１Ｂに回転ベース３０と回転ベース蓋１４０を取り付けた状態を示す図である。
【図１０】回転ベース３０の斜視図である。
【図１１】回転ベース蓋１４０の斜視図である。
【図１２】図９の下ケース２１Ｂの内側に電装基板１５０を配置した状態を示す図である。
【図１３】電装基板１５０の下面を示す斜視図である。
【図１４】図２の状態から上ケース２１Ａを取り外した状態の図である。
【図１５】筐体２１の通常時の内部構造を示す図である。
【図１６】筐体２１を右側に傾けたときの内部構造を示す図である。
【図１７】筐体２１を左側に傾けたときの内部構造を示す図である。
【図１８】サイコン２００の断面図（押下する前の通常時）である。
【図１９】サイコン２００を押下した状態を示す断面図である。
【発明を実施するための形態】
【００２９】
以下、本発明にかかる電子機器の第１，第２実施形態について、図面を参照して説明する。これらの図面は、本発明が採用しうる技術的特徴を説明するために用いられるものである。記載されている装置の構成等は、それのみに限定する趣旨ではなく、単なる説明例である。
【００３０】
先ず、第１実施形態であるサイクルコンピュータ２０について、図面を参照して説明する。以下説明ではサイクルコンピュータを「サイコン」と呼ぶ。サイコン２０は電子機器の一例である。
【００３１】
はじめに、サイコン２０が取り付けられる自転車１００の構造について、図１を参照して簡単に説明する。自転車１００は、例えばマウンテンバイクと呼ばれる不整地走行が可能なものである。自転車１００は、フレーム１、駆動部５、前輪６、後輪７、前後のブレーキ装置９Ａ，９Ｂ等を備える。フレーム１は、フレーム体２、フロントフォーク３、及びハンドル部４を有する。フレーム体２は、パイプを溶接して製作される。フレーム体２には、サドル１３や駆動部５を含む各部が取り付けられている。フロントフォーク３は、フレーム体２の前部に斜めに傾いた軸回りに揺動自在に装着される。ハンドル部４は、ハンドルステム１４とハンドルバー１５を備える。ハンドルステム１４は、フロントフォーク３の上部に固定される。ハンドルバー１５は、ハンドルステム１４に固定される。ハンドルバー１５は左右方向にかつ水平に延設される。
【００３２】
ハンドルバー１５の略中央の上部には、マウント５０が取り付けられている。マウント５０には、サイコン２０が着脱可能に取り付けられる。サイコン２０は表示部２９を備える。表示部２９は、例えば、自転車１００の走行速度や走行距離等の走行情報を表示可能である。具体的には、例えば、自転車１００の走行に伴い、後輪７のスポークに取り付けた速度検出用マグネット（図示略）の回転を速度検出器（図示略）で検出し、該速度検出器から出力される回転速度に対応したパルス信号に基づき、自転車１００の走行速度及び走行距離等の各種情報を算出して表示できる。
【００３３】
ハンドルバー１５の両端には、ブレーキレバー１６とグリップ１７が装着されている。ブレーキレバー１６とグリップ１７は、前後のブレーキ装置９Ａ，９Ｂを操作する為のものである。駆動部５は、ギアクランク１１とチェーン１８を備える。ギアクランク１１は、フレーム体２の下部に設けられている。チェーン１８は、ギアクランク１１に掛け渡されている。
【００３４】
そして、本実施形態では、サイコン２０をマウント５０に対して４５°の回転で取り付けることができる。さらに、サイコン２０をハンドルバー１５に取り付けたままの状態で、サイコン２０の向きを９０°ずつ変えることができる。例えば、サイコン２０に表示される画像の縦又は横の表示方向に合わせてサイコン２０の向きを縦方向及び横方向に変えることができる。さらに、本実施形態では特に、サイコン２０の筐体２１の角部をタップして傾けることにより、例えば表示部２９に表示されている画面を切り換えることができる。また、リン設定がオンにされている場合は、サイコン２０の筐体２１の角部を押すという直感的な操作により、例えば「ピッ・ピッー！」とリン音が出力されるようになっている。以下、これらの２つの特徴について順に説明する。
【００３５】
先ず、サイコン２０をハンドルバー１５に対して４５°の回転で取り付け可能とする構成について、図２〜図７を参照して説明する。以下説明では、図２の左斜め下方、右斜め上方、右斜め下方、左斜め上方を、夫々、サイコン２０の前方、後方、右方、左方とする。図３の下方、上方、左方、右方を、サイコン２０の前方、後方、右方、左方とする。
【００３６】
図２に示すように、サイコン２０は筐体２１を備える。筐体２１は樹脂製である。筐体２１は例えば一方向に長手を有する略直方体状のケースである。筐体２１は、前面２３、背面２４、右側面２５、左側面２６、上面２７、及び底面２８（図３参照）を備える。筐体２１の各角部はテーパ状に形成されている。上面２７には表示部２９が設けられている。表示部２９は平面視長方形状である。表示部２９には、例えば自転車１００の走行速度や走行距離等の走行情報等が表示される。表示部２９に表示される画像の表示方向は、例えば縦方向と横方向の何れかに変更可能である。縦方向とは例えば前記一方向に沿った長手方向である。横方向とは例えば前記一方向に直交する短手方向である。
【００３７】
さらに上面２７の前側には４つのボタン４６〜４９が左方から右方に並設されている。ボタン４６は例えば表示部２９に表示されている画面から前の画面に戻る時に使用するものである。ボタン４７は例えば本機の電源ＯＮ／ＯＦＦや選択項目の決定に使用するものである。ボタン４８は例えば項目の選択やタイムの計測停止に使用するものである。ボタン４９は例えば項目の選択やタイムの計測開始に使用するものである。ボタン４６〜４９は例えばゴム製である。
【００３８】
なお、表示部２９は例えば抵抗膜式のタッチパネルを搭載したものでもよい。抵抗膜式のタッチパネルは、自転車１００に乗るときに、例えば手袋をしていたり、汗をかいている場合でも、タッチパネルの反応性を維持できる点で特に有効である。タッチパネル式の表示部では、使用者は、例えば表示部に表示された操作部（図示略）に指でタッチして入力操作を行うことができる。また、表示部２９は例えば静電式のタッチパネルを搭載したものでもよい。
【００３９】
図３に示すように、底面２８の略中央には回転ベース３０が設けられている。回転ベース３０は、底面２８に設けられた後述する円形開口１２１（図８参照）から下方に突出している。回転ベース３０は軸部３１と十字部３２を備える。軸部３１は例えば略円筒状である。十字部３２は、軸部３１の下方に突出する先端部に設けられている。十字部３２は底面視略十字形状である。十字部３２は、４本の係止爪部３５〜３８を備える。係止爪部３５〜３８は、軸部３１の先端面において十字方向に各々延出する。十字方向は例えば筐体２１の前後左右の４方向である。係止爪部３５は筐体２１の前方に延出する。係止爪部３６は筐体２１の右方に延出する。係止爪部３７は筐体２１の後方に延出する。係止爪部３８は筐体２１の左方に延出する。
【００４０】
さらに、軸部３１の先端面において、係止爪部３５と係止爪部３６に挟まれる部分には湾曲凹部４１が設けられている。係止爪部３６と係止爪部３７に挟まれる部分には湾曲凹部４２が設けられている。係止爪部３７と係止爪部３８に挟まれる部分には湾曲凹部４３が設けられている。係止爪部３８と係止爪部３５に挟まれる部分には湾曲凹部４４が設けられている。湾曲凹部４１〜４４は、十字部３２の先端面の中心３２Ａから径方向外側に向かって緩やかに湾曲している。それ故、十字部３２は、軸部３１の先端面において下方に突出する状態となる。
【００４１】
次に、係止爪部３５〜３８の形状について具体的に説明する。図３に示すように、係止爪部３５〜３８は、十字部３２の中心３２側においてやや先細り形状を有し、径方向外側に向かって緩やかな幅広に形成されている。係止爪部３５〜３８の各先端部は、軸部３１の外周より径方向外側に突出している。係止爪部３５〜３８の各先端部は円弧状である。係止爪部３５の先端部の幅方向中央には凹部３５Ａが設けられている。係止爪部３６の先端部の幅方向中央には凹部３６Ａが設けられている。係止爪部３７の先端部の幅方向中央には凹部３７Ａが設けられている。係止爪部３８の先端部の幅方向中央には凹部３８Ａが設けられている。凹部３５Ａ〜３８Ａは中心３２Ａ側に例えば円弧状に窪んで形成されている。
【００４２】
係止爪部３５の先端部と中心３２Ａとの間には、凹部３５Ｂが設けられている。凹部３５Ｂは、係止爪部３５の長手方向に沿って延設され、細長長方形状である。凹部３５Ｂの深さは、中心３２Ａ側から先端側にかけて徐々に深くなっている。係止爪部３６〜３８にも、凹部３５Ｂと同様の係合凹部３６Ｂ，３７Ｂ，３８Ｂが各々設けられている。
【００４３】
この他に、底面２８の左側後方の角部には、フラッシュライト６７が設けられている。フラッシュライト６７は、例えばＬＥＤとレンズ等を備える。例えばフラッシュＯＮ時に点滅して周囲に示すことができる。
【００４４】
底面２８の右側後方には、ブザーフィルタ部６６が設けられている。ブザーフィルタ部６６は筐体２１の内部にある電装基板１５０に固定されたブザー１６４（図１３参照）から出力されるアラート音を外部に流す為の複数の小孔を備える。回転ベース３０の前方には、電池収納部６８が設けられている。電池収納部６８は略円筒状に形成され、例えば２個のボタン電池１８０（図１５参照）を収納する。電池収納部６８の開口には電池カバー６８Ａが着脱可能に取り付けられる。なおサイコン２０はボタン電池１８０を電力の供給源として動作するが、例えば充電池で動作するようにするとよい。
【００４５】
次に、マウント５０の構造について説明する。図４に示すように、マウント５０は、底面が開放する略直方体状の樹脂製ケースである。マウント５０は、前壁５１、背壁５２、右側壁５３、左側壁５４、及び上壁５５を備える。上壁５５の上面略中央には穴部５７が設けられている。穴部５７は底部５８を備え、平面視円形状である。穴部５７の内周面の上部において、前壁５１に対応する位置には、被係止部６１が設けられている。背壁５２に対応する位置には、被係止部６２が設けられている。右側壁５３に対応する位置には、被係止部６３が設けられている。左側壁５４に対応する位置には、被係止部６４が設けられている。即ち、被係止部６１〜６４は、穴部５７を軸方向から見た場合に９０°ずつずらした位置に各々設けられている。
【００４６】
被係止部６１〜６４は、穴部５７の径方向内側に各々延出する。被係止部６１〜６４は、穴部５７の内周面に沿って設けられ、それら径方向内側に向かう各先端部は、当該内周面の曲率と同様に円弧状に湾曲している。被係止部６１〜６４の互いに隣り合う端部同士の間には所定の隙間が設けられている。この隙間の幅は、少なくとも回転ベース３０に設けられた上述の係止爪部３５〜３８の各先端部を挿入できる程度に調整される。
【００４７】
穴部５７の内周面において、被係止部６１の長手方向中央部の下方には突起部８１が設けられている。被係止部６２の長手方向中央部の下方には、突起部８２が設けられている。被係止部６３の長手方向中央部の下方には、突起部８３が設けられている。被係止部６４の長手方向中央部の下方には、突起部８４が設けられている。突起部８１〜８４は、穴部５７の内周面から径方向内側に各々突出する。
【００４８】
底部５８において、被係止部６３，６４に相対する各部分には、孔部６８，６９が各々設けられている。孔部６８，６９は、平面視で見た場合に、被係止部６３，６４と少なくとも同程度の大きさを有する長方形状である。底部５８において、被係止部６１，６２に相対する各部分には、孔部７０，７１が設けられている。孔部７０，７１は平面視矩形状である。孔部７０と７１の間には、中央部７３が設けられている。中央部７３は左右方向に延設する略長方形状である。孔部７０内には板バネ７４が設けられている。孔部７１内には板バネ７５が設けられている。板バネ７４，７５は中央部７３で互いに連結されている。板バネ７４，７５は中央部７３を基点として、中央部７３とは反対側の先端側が穴部５７の深さ方向に夫々撓み可能である。
【００４９】
板バネ７４の先端側の幅方向中央には、凸部７４Ａが設けられている。凸部７４Ａは、底部５８の中央部５９から径方向外側に向かって底部５８からの高さが徐々に高くなる形状を備える。凸部７４Ａは側面視略三角形状である。板バネ７５の先端側の幅方向中央には、凸部７５Ａが設けられている。凸部７５Ａは、底部５８中央部５９から径方向外側に向かって底部５８からの高さが徐々に高くなる形状を備える。凸部７５Ａは側面視略三角形状である。凸部７４Ａ，７５Ａの形状は、係止爪部３５〜３８の凹部３５Ｂ〜３８Ｂの深さ形状に対応している。故に、凸部７４Ａ，７５Ａは、係止爪部３５〜３８の凹部３５Ｂ〜３８Ｂに対して、特に径方向外側において強固に嵌合できる。
【００５０】
前壁５１の幅方向両側には一対の通し孔８６が設けられている。背壁５２の幅方向両側にも一対の通し孔（図示略）が設けられている。夫々互い対向する位置にある各一組の通し孔８６には、結束バンド１０１，１０２が夫々通される。結束バンド１０１，１０２は、ハンドルバー１５にマウント５０を取り付ける為のバンドである。結束バンド１０１，１０２は、マウント５０内において、孔部７０，７１の左右両側に配置される。それ故、板バネ７４，７５が下方に撓んだ場合でも、板バネ７４，７５は結束バンド１０１，１０２に接触しない。従って、結束バンド１０１，１０２は、板バネ７４，７５の撓み機能を阻害しない。
【００５１】
右側壁５３の底部の中央部には、湾曲部７８が設けられている。左側壁５４の底部の中央部にも湾曲部（図示略）が設けられている。各湾曲部７８は上方に円弧状に湾曲し、互いに対向する位置関係である。湾曲部７８は、台座シート９０を介してハンドルバー１５に接触する部分である。マウント５０の底部には、台座シート９０が嵌め込まれる。台座シート９０は、例えばゴムや、エラストマー等が適用可能である。それ故、ハンドルバー１５に対して滑り止めの効果を得ることができる。
【００５２】
次に、マウント５０のハンドルバー１５への取り付け手順の一例について、図４を参照して説明する。先ず、マウント５０の底面側に設けた台座シート９０を、ハンドルバー１５上に沿わせて配置する。結束バンド１０１，１０２を、マウント５０の各通し孔８６に通し、ハンドルバー１５と結束する。こうして、マウント５０はハンドルバー１５の上部に偏りなく取り付けられる。このとき、マウント５０の前壁５１、背壁５２、右側壁５３、左側壁５４は、例えば、自転車１００の後方、前方、右側方、左側方に向かって対向する位置関係となる。
【００５３】
次に、サイコン２０をマウント５０に取り付ける手順の一例について、図５〜図７を参照して簡単に説明する。なお、図６は、サイコン２０を縦方向に取り付けた状態を示している。図７は、サイコン２０を横方向に取り付けた状態を示している。図６，図７の上方、下方は、夫々、自転車１００の前方、後方である。最初に、サイコン２０をマウント５０に対して縦方向に取り付ける場合について説明する。先ず、マウント５０の穴部５７対して、サイコン２０の底面２８側にある回転ベース３０を対向配置させる。そして、十字部３２の係止爪部３５〜３８をマウント５０の前後左右に合わせた位置からサイコン２０を反時計回りに回転してずらす。この状態で、図５に示すように、十字部３２の係止爪部３５〜３８の各先端部を、マウント５０の被係止部６１〜６４同士の各隙間に通し、回転ベース３０を穴部５７に挿入する。
【００５４】
次いで、図６に示すように、サイコン２０を時計回りに４５°回転させる。回転ベース３０の回転に伴い、係止爪部３５の面は、板バネ７４の凸部７４Ａを押し下げ、係止爪部３７の面は、板バネ７５の凸部７５Ａを押し下げる。板バネ７４，７５は下方に撓むので、回転ベース３０は穴部５７の内側においてさらに回転可能となる。回転ベース３０は時計回りに４５°回転する。十字部３２の係止爪部３５〜３８がマウント５０の前後左右に一致する。すると、係止爪部３５〜３８は、穴部５７の内側において、被係止部６１〜６４の下方にスライドする。そして、板バネ７４の弾性復帰力により、係止爪部３５の凹部３５Ｂに対して、板バネ７４の凸部７４Ａが落着して嵌り込む。他方、板バネ７５の弾性復帰力により、係止爪部３７の凹部３７Ｂに対して、板バネ７５の凸部７５Ａが落着して嵌り込む。これにより、被係止部６１〜６４に対して係止爪部３５〜３８の位置が回転してずれるのを防止できる。
【００５５】
さらに、係止爪部３５の凹部３５Ａにマウント５０の突起部８１が嵌合する。係止爪部３６の凹部３６Ａにマウント５０の突起部８３が嵌合する。係止爪部３７の凹部３７Ａにマウント５０の突起部８２が嵌合する。係止爪部３８の凹部３８Ａにマウント５０の突起部８４が嵌合する。これによりマウント５０に対して回転ベース３０が回転するのを防止できる。このようにして、マウント５０の穴部５７に対して、サイコン２０の回転ベース３０の取り付けが完了する。サイコン２０はマウント５０に対して縦方向に取り付けられる。
【００５６】
次に、サイコン２０をマウント５０に対して横方向に取り付ける場合について説明する。例えば、使用者は、サイコン２０の表示部２９に表示される画像の表示方向を縦方向から横方向に変更する場合がある。この場合、使用者はマウント５０に対してサイコン２０を横方向にする必要がある。そこで、使用者は、先ず、図６の状態からサイコン２０を反時計回りに４５°回転させる。すると、係止爪部３５の凹部３５Ｂから、板バネ７４の凸部７４Ａが離脱し、係止爪部３７の凹部３７Ｂから、板バネ７５の凸部７５Ａが離脱する。さらに、係止爪部３５〜３８の凹部３５Ａ〜３８Ａからマウント５０の突起部８１〜８４が離脱する。そして、回転ベース３０の回転に伴い、係止爪部３５の面は、板バネ７４の凸部７４Ａを押し下げ、係止爪部３７の面は、板バネ７５の凸部７５Ａを押し下げる。板バネ７５，７６は下方に撓むので、回転ベース３０は穴部５７の内側においてさらに回転可能となる。サイコン２０は一旦、図５の状態となる。
【００５７】
次いで、図５の状態からそのままサイコン２０を反時計回りに４５°回転させる。回転ベース３０の回転に伴い、係止爪部３８の面は、板バネ７４の凸部７４Ａを押し下げ、係止爪部３６の面は、板バネ７５の凸部７５Ａを押し下げる。板バネ７４，７５は下方に撓むので、回転ベース３０は穴部５７の内側においてさらに回転可能となる。十字部３２の係止爪部３５〜３８がマウント５０の前後左右に一致する。すると、係止爪部３５〜３８は、穴部５７の内側において、被係止部６１〜６４の下方にスライドする。そして、図７に示すように、板バネ７４の弾性復帰力により、係止爪部３８の凹部３８Ｂに対して、板バネ７４の凸部７４Ａが落着して嵌り込む。他方、板バネ７５の弾性復帰力により、係止爪部３６の凹部３６Ｂに対して、板バネ７５の凸部７５Ａが落着して嵌り込む。
【００５８】
さらに、係止爪部３５の凹部３５Ａにマウント５０の突起部８３が嵌合する。係止爪部３６の凹部３６Ａにマウント５０の突起部８２が嵌合する。係止爪部３７の凹部３７Ａにマウント５０の突起部８４が嵌合する。係止爪部３８の凹部３８Ａにマウント５０の突起部８１が嵌合する。このようにして、マウント５０の穴部５７に対して、サイコン２０の回転ベース３０の取り付けが完了する。サイコン２０はマウント５０に対して横方向に取り付けられる。従って、使用者は、サイコン２０をマウント５０から取り外すことなく、サイコン２０の向きを縦方向から横方向、又は横方向から縦方向に変えることができる。
【００５９】
また本実施形態では、サイコン２０の筐体２１の角部にフラッシュライト６７を設けることで、縦横双方の状態で前方を照らすことができる。図６，図７に示すように、サイコン２０を縦横の何れの方向に取り付けた状態でも、フラッシュライト６７は、自転車１００の前方を照らす位置に配置される。それ故、フラッシュライト６７は縦横双方の状態で前方を照らすことができる。
【００６０】
次に、筐体２１を傾けることにより、サイコン２０の処理動作を切り換え可能とする本発明の構成について、図２、図８〜図１７を参照して説明する。なお本実施形態において、「筐体２１を傾ける」とは、例えば図１６，図１７に示すように、筐体２１の角部をタップすることにより、筐体２１を時計回り又は反時計回りに回転させ、ハンドルバー１５に対して筐体２１の姿勢を傾けることをいう。
【００６１】
先ず、筐体２１の構造について詳細に説明する。図２に示すように、筐体２１は上ケース２１Ａと下ケース２１Ｂとを備える。
【００６２】
上ケース２１Ａの形状について説明する。上ケース２１Ａは平面視長方形状の蓋部材である。上面２５には開口１１１が設けられている。開口１１１は平面視長方形状である。開口１１１の内側には表示部２９が配設される。表示部２９は筐体２１内に取り付けられている（図１４参照）。開口１１１の前方には、ボタン４６〜４９を筐体２１の内部から上方に突出させる為の４つの孔部（図示略）が設けられている。
【００６３】
次に、下ケース２１Ｂの形状について説明する。図８に示すように、下ケース２１Ｂは、上ケース２１Ａと同様の平面視略長方形状、かつ断面凹状に形成されている。下ケース２１Ｂの略中央には円形開口１２１が設けられている。下ケース２１Ｂの下面における円形開口１２１の周縁部にはパッキン１２２が取り付けられている。円形開口１２１には回転ベース３０（図３，図１０参照）が回転可能に取り付けられる。円形開口１２１の前方には、上記の電池収納部６８が設けられている。電池収納部６８は下ケース２１Ｂの面に直交して上下方向に延出されている。円形開口１２１の左前方には、バネ取付部１２３が設けられている。バネ取付部１２３は、円形開口１２１側に開口する平面視略Ｕ字状のリブである。バネ取付部１２３の内側には一対のネジ孔１２４が設けられている。バネ取付部１２３には、Ｕ字バネ１７０（図９参照）が取り付けられる。Ｕ字バネ１７０はＵ字状のバネである。
【００６４】
さらに円形開口１２１を中央に挟む左右両側には、突起部１３１，１３２が各々設けられている。突起部１３１は円形開口１２１の右側、突起部１３２は円形開口１２１の左側に位置する。突起部１３１，１３２は上方に突出する角柱状である。円形開口１２１の右後方には、上記のブザーフィルタ部６６が設けられている。下ケース２１Ｂの左後方隅部には、ライト保護部１２７が設けられている。ライト保護部１２７は略円筒状である。ライト保護部１２７には、電装基板１５０の下面に取り付けられたフラッシュライト６７（図１３参照）が挿入される。フラッシュライト６７はライト保護部１２７によって保護され、点灯又は点滅する先端側が外部に露出するようになっている（図３参照）。下ケース２１Ｂの四隅と、左側部上端の中央部と、右側部上端の中央部とには、ネジ孔１３４が各々設けられている。ネジ孔１３４には、上ケース２１Ａを固定する為のネジ９５（図１２，図１４参照）が締結される。
【００６５】
次に、回転ベース３０の形状について、図１０を参照して詳細に説明する。回転ベース３０は、上記のように、軸部３１と十字部３２とを備える。十字部３２は上記の形状を備える。軸部３１の下端は十字部３２で塞がれている。軸部３１の外周面にはフランジ部３９が設けられている。フランジ部３９は軸部３１の径方向外側に延出している。十字部３２の各係止爪部３５〜３８（図３参照、図１０では係止爪部３５，３６のみ図示）とフランジ部３９の下面との間には所定の隙間が形成されている。この隙間には、マウント５０の被係止部６１〜６４（図４参照）が滑り込んで嵌るようになっている。
【００６６】
そして、軸部３１の上端には、４つのネジ孔１３８が所定間隔毎に各々設けられている。軸部３１の内周面には、一対の位置決めリブ１３５，１３６が設けられている。位置決めリブ１３５，１３６は互いに対向する位置に各々配置されている。位置決めリブ１３５，１３６は、軸部３１の軸方向に平行に延設されている。
【００６７】
次に、回転ベース蓋１４０の形状について、図１１を参照して説明する。回転ベース蓋１４０は平面視リング状の板部材である。回転ベース蓋１４０は中央に挿通孔１４１を備える。回転ベース蓋１４０の外周縁部には、回転制限凹部１４２，１４３、バネ係止凹部１４４、スイッチ凹部１４５が各々設けられている。回転制限凹部１４２，１４３は互いに対向する位置に設けられている。回転制限凹部１４２の周方向の両側において、平面視時計回りの上流側には係止部１９３が形成され、下流側には係止部１９４が形成されている。回転制限凹部１４３の周方向の両側において、平面視時計回りの上流側には係止部１９５が形成され、下流側には係止部１９６が形成されている。
【００６８】
バネ係止凹部１４４は、下ケース２１Ｂのバネ取付部１２３に対向する位置に設けられている。バネ係止凹部１４４の周方向の両側において、平面視時計回りの上流側には係止部１９７が形成され、下流側には係止部１９８が形成されている。スイッチ凹部１４５は、筐体２１内に設置される電装基板１５０の下面に取り付けられるジョグスイッチ１６１の操作子１６２に対応する位置に設けられている。スイッチ凹部１４５の周方向の両側において、平面視時計回りの上流側には係止部１９１が形成され、下流側には係止部１９２が形成されている。係止部１９１，１９２は後述するジョグスイッチ１６１の操作子１６２（図１３）を両側から把持する。挿通孔１４１の周縁部には、係止溝１４７，１４８、４つのネジ孔１４９が設けられている。係止溝１４７，１４８は互いに対向する位置に各々配置されている。回転ベース蓋１４０はリング状であるので軽量化できる。なお回転ベース蓋１４０は本発明の「付勢部」の一例である。
【００６９】
次に、電装基板１５０の構造について、図１２，図１３を参照して説明する。電装基板１５０は、サイコン２０を制御する為の電子回路や各種電装部品等を備えたＰＣＢ基板である。図１２に示すように、電装基板１５０の上面の前側には、タクトスイッチ１５１〜１５４が左右方向に所定間隔を空けて各々設けられている。タクトスイッチ１５１上にはボタン４６が配置される。タクトスイッチ１５２上にはボタン４７が配置される。タクトスイッチ１５３上にはボタン４８が配置される。タクトスイッチ１５４上にはボタン４９が配置される。
【００７０】
他方、電装基板１５０の下面には、ジョグスイッチ１６１、アンテナ基板ユニット１６３、ブザー１６４、フラッシュライト６７、電池端子１６５等が取り付けられている。ジョグスイッチ１６１は、電装基板１５０の下面の前後方向中央のやや右側寄りに配置されている。ジョグスイッチ１６１はレバー式の操作子１６２を備える。操作子１６２は下方に突出している。ジョグスイッチ１６１は操作子１６２が付勢される方向を検出し、例えばＯＮ／ＯＦＦの切り換え、出力信号の切り換え等を行うことができる。
【００７１】
アンテナ基板ユニット１６３は、電装基板１５０の下面の後方側に配置されている。アンテナ基板ユニット１６３は、例えばスピードセンサ、ケイデンスセンサ、心拍センサ等と無線通信する為の通信装置である。ブザー１６４は、アンテナ基板ユニット１６３の右側に配置されている。ブザー１６４は制御部による指示によりアラート音を出力可能である。フラッシュライト６７は、アンテナ基板ユニット１６３の左側に配置されている。電池端子１６５は、電池収納部６８内に収納されたボタン電池１８０に接触可能（図１５参照）である。
【００７２】
さらに電装基板１５０の四隅と、左端部の略中央部と、右端部の略中央部とには、切り欠き部１５６が各々設けられている。切り欠き部１５６は、下ケース２１Ｂの内側に電装基板１５０が設置された状態で、上ケース２１Ａと下ケース２１Ｂとを固定する６本のネジ９５を夫々除けることができる。このような電装基板１５０は、例えば前端側の左右両側の２箇所と、後端側の略中央の１箇所とにおいて、ネジ９６により上ケース２１Ａに固定される。
【００７３】
次に、表示部２９の構造について、図１４を参照して説明する。図１４は、図２に示す筐体２１から上ケース２１Ａを取り外した状態を示している。表示部２９は、例えば  フロントパネル２９Ａ、液晶装置２９Ｂ、バックライト２９Ｃを積層した構造である。バックライト２９Ｃの上面に液晶装置２９Ｂが積層され、その液晶装置２９Ｂの上面にフロントパネル２９Ａが積層されている。液晶装置２９Ｂは例えば２．７インチのドットマトリックス液晶装置である。
【００７４】
次に、下ケース２１Ｂへの回転ベース３０及び回転ベース蓋１４０の取り付け方法について説明する。先ず、図８に示す下ケース２１Ｂの円形開口１２１に対して、図１０に示す回転ベース３０の軸部３１を下方から挿入する。すると、フランジ部３９の上面が、円形開口１２１の周縁部に沿って設けられたパッキン１２２に当接する。次いで、円形開口１２１に内挿された軸部３１の上端部に対して回転ベース蓋１４０の下面を対向させる。そして、回転ベース蓋１４０の係止溝１４７，１４８に対して、軸部３１の内側に設けられた位置決めリブ１３５，１３６を嵌め込む。
【００７５】
さらに、軸部３１の４つのネジ孔１３８に対して、回転ベース蓋１４０の４つのネジ孔１４９を位置決めし、ネジ９７を夫々締結する。パッキン１２２はフランジ部３９の上面と下ケース２１Ｂの下面との間で若干押し潰される。こうして回転ベース３０に対して回転ベース蓋１４０が固定される。下ケース２１Ｂは、回転ベース３０と回転ベース蓋１４０との間に挟まれた状態となる。下ケース２１Ｂは、回転ベース３０及び回転ベース蓋１４０に対して回転可能となる。
【００７６】
そして、回転ベース蓋１４０の回転制限凹部１４２の内側の幅方向中央には、下ケース２１Ｂの円形開口１２１の右側に設けられた突起部１３１が配置される。回転ベース蓋１４０の回転制限凹部１４３の内側の幅方向中央には、下ケース２１Ｂの円形開口１２１の左側に設けられた突起部１３２が配置される。それ故、下ケース２１Ｂの回動範囲は所定範囲に制限される。
【００７７】
次に、バネ取付部１２３へのＵ字バネ１７０の取り付け方法について、図８，図９を参照して説明する。先ず、バネ取付部１２３のＵ字形状のリブの外側面に沿うようにして、Ｕ字バネ１７０の内側を嵌め込む。Ｕ字バネ１７０は、下ケース２１Ｂに対して位置決めされる。固定カバー１２５を、Ｕ字バネ１７０を上から押さえるように配置し、ネジ９８で下ケース２１Ｂに対して固定する。ネジ９８は、固定カバー１２５を介して下ケース２１Ｂ側のネジ孔１２４（図８参照）に締結される。こうしてＵ字バネ１７０がバネ取付部１２３に取り付けられる。図９に示すように、Ｕ字バネ１７０の両端部は円形開口１２１（図８参照）側に延出され、それら各先端部には上方に屈曲する当接部１７１，１７２が形成されている。当接部１７１，１７２は回転ベース蓋１４０のバネ係止凹部１４４内に位置する。当接部１７１は、係止部１９７の内壁面に当接している。当接部１７２は、係止部１９８の内壁面に当接している。なおＵ字バネ１７０は本発明の「保持部材」の一例である。
【００７８】
次に、電装基板１５０の設置方法について説明する。先ず、図１３に示す電装基板１５０を、図９に示す下ケース２１Ｂの内側に設置する。このとき、図１５に示すように、電装基板１５０の下面に取り付けられたジョグスイッチ１６１の操作子１６２を、回転ベース蓋１４０のスイッチ凹部１４５の内側に嵌め込む。これにより操作子１６２は係止部１９１，１９２に挟持された状態となる。電装基板１５０は例えば上ケース２１Ａに対してネジ９６で固定される。それ故、電装基板１５０は筐体２１と一体して回転する。なお電装基板１５０は下ケース２１Ｂに固定するようにするとよい。
【００７９】
次に、筐体２１の回転によってジョグスイッチ１６１のスイッチが切り替わる仕組みについて、図１５〜図１７を参照して説明する。なお図１５から図１７では、筐体２１の内部構造を見易くする為、電装基板１５０の外郭のみを一点鎖線で示している。運転者は例えば筐体２１の角部をタップして筐体２１を回転させて傾けることによって、例えば表示部２９に表示されている画面を次の画面、又は前の画面に切り換えることができる。そこで、筐体２１が基本位置に保持されている場合、筐体２１を時計回りに回転させた場合、筐体２１を反時計回りに回転させた場合について順に説明する。
【００８０】
［筐体２１が基本位置に保持されている場合］
例えば図１５に示すように、操作子１６２と、スイッチ凹部１４５とは同位置にある。それ故、ジョグスイッチ１６１は例えばオフの状態である。筐体２１に取り付けられているＵ字バネ１７０は、回転ベース蓋１４０を保持しているので、筐体２１は基本位置に保持されている。なお「基本位置」（本発明の「所定位置」に相当）とは、操作子１６２が係止部１９１，１９２に付勢されない状態の筐体２１の位置（図１５参照）である。
【００８１】
［筐体２１を時計回りに回転させた場合］
図１６に示すように、ジョグスイッチ１６１は筐体２１と共に時計回りに回転する。これに対し、回転ベース蓋１４０は動かないので、回転ベース蓋１４０の係止部１９１，１９２に挟まれた操作子１６２は反時計回りに付勢される。操作子１６２が付勢されたことでジョグスイッチ１６１はオフからオンに切り替わる。このとき操作子１６２は反時計回りに付勢されるので、サイコン２０は例えば表示部２９に表示されている画面を次の画面に切り換える。そして、筐体２１を時計回りにさらに回転させようとしても、筐体２１側の突起部１３１は回転ベース蓋１４０の係止部１９４に接触し、筐体２１側の突起部１３２は回転ベース蓋１４０の係止部１９６に接触する。それ故、筐体２１はそれ以上回転しない。
【００８２】
そして、筐体２１が時計回りに回転している状態では、Ｕ字バネ１７０の当接部１７２が回転ベース蓋１４０の係止部１９８によって内側に付勢されている。そこで、運転者が筐体２１から手を離した途端、筐体２１にかけられていた付勢は無くなるので、Ｕ字バネ１７０の弾性復帰力によって、当接部１７２は係止部１９８を押し戻そうとする。これにより、筐体２１は反時計回りに回転して基本位置に速やかに戻ることができる（図１５参照）。ジョグスイッチ１６１は例えばオンからオフに切り替わる。
【００８３】
つまり、筐体２１が回動されても、筐体２１から手を離すと筐体２１はＵ字バネ１７０によって基本位置に戻るので、ジョグスイッチ１６１の操作子１６２が付勢されたままの状態にならない。故にサイコン２０の操作を連続して行うことができ、ジョグスイッチ１６１もそれに応じて出力態様を切り換えることができる。
【００８４】
［筐体２１を反時計回りに回転させた場合］
図１７に示すように、ジョグスイッチ１６１は筐体２１と共に反時計回りに回転する。これに対し、回転ベース蓋１４０は動かないので、回転ベース蓋１４０の係止部１９１，１９２に挟まれた操作子１６２は時計回りに付勢される。操作子１６２が付勢されたことでジョグスイッチ１６１はオフからオンに切り替わる。このとき操作子１６２は時計回りに付勢されるので、サイコン２０は例えば表示部２９に表示されている画面を前の画面に切り換える。そして、筐体２１を反時計回りにさらに回転させようとしても、筐体２１側の突起部１３１は回転ベース蓋１４０の係止部１９３に接触し、筐体２１側の突起部１３２は回転ベース蓋１４０の係止部１９５に接触する。それ故、筐体２１はそれ以上回転しない。
【００８５】
そして、筐体２１が反時計回りに回転している状態では、Ｕ字バネ１７０の当接部１７１が回転ベース蓋１４０の係止部１９７によって内側に付勢されている。そこで、運転者が筐体２１から手を離した途端、筐体２１にかけられていた付勢は無くなるので、Ｕ字バネ１７０の弾性復帰力によって、当接部１７１は係止部１９７を押し戻そうとする。これにより、筐体２１は時計回りに回転して基本位置に速やかに戻ることができる（図１５参照）。ジョグスイッチ１６１はオンからオフに切り替わる。
【００８６】
以上説明したように、第１実施形態では、サイコン２０を自転車１００のハンドルバー１５に取り付けるものである。自転車１００のハンドルバー１５にはマウント５０が取り付けられる。サイコン２０の筐体２１の底面２８には、回転ベース３０が設けられている。回転ベース３０は、軸部３１と十字部３２を備える。軸部３１は例えば略円柱状である。十字部３２は、４本の係止爪部３５〜３８を備える。係止爪部３５〜３８は、軸部３１の先端面において十字方向に各々延出する。マウント５０は有底の穴部５７を備える。穴部５７には、４つの被係止部６１〜６４が設けられている。被係止部６１〜６４は、穴部５７の内周から径方向内側に突出し、かつ穴部５７を軸方向から見た場合に９０°ずつずらした位置に各々設けられている。回転ベース３０をマウント５０の穴部５７に挿入して回転させることによって、係止爪部３５〜３８が被係止部６１〜６４に各々係止する。それ故、サイコン２０の筐体２１はマウント５０に取り付けられる。この状態から回転ベース３０を９０°回転させた場合、係止爪部３５〜３８は被係止部６１〜６４の何れかに係止する。従って、マウント５０をハンドルバー１５から取り外すことなく、ハンドルバー１５に対してサイコン２０の取付方向を９０°ずつ回転させることができる。
【００８７】
そして本実施形態では特に、筐体２１を傾けることにより、例えば表示部２９に表示される画面を切り換える等の処理動作を切り換えることができる。筐体２１の下ケース２１Ｂは、マウント５０に取り付けられる回転ベース３０に対して回転可能である。回転ベース３０には筐体２１内において回転ベース蓋１４０が固定されている。筐体２１内に設けられた電装基板１５０の下面にはジョグスイッチ１６１が取り付けられている。ジョグスイッチ１６１の操作子１６２は下方に突出している。操作子１６２は、回転ベース蓋１４０の係止部１９１，１９２によって挟持されている。
【００８８】
このような構成により、筐体２１を回転させて傾けると、操作子１６２は筐体２１と一体して回転するが、回転ベース蓋１４０は回転しない。それ故、操作子１６２と、係止部１９１，１９２との相対位置が変化するので、係止部１９１，１９２によって操作子１６２が付勢され、ジョグスイッチ１６１のオンオフが切り換わる。運転者は自転車１００の走行中にサイコン２０を操作するので、細かな操作等は困難である。本実施形態のように、運転者は例えば筐体２１の角部をタップするだけで、サイコン２０を操作できるので操作性を格段に向上できる。
【００８９】
また本実施形態では特に、操作子１６２は筐体２１内に位置するので外部に露出しない。よって、異物が操作子１６２に付着するのを防止できる。それ故、操作子１６２の可動性を良好に維持できる。また筐体２１そのものを移動操作するだけでジョグスイッチ１６１の切り換えができるのでサイコン２０の操作性を向上できる。
【００９０】
また本実施形態では特に、ジョグスイッチ１６１を用いているので、例えば付勢された方向を検出することにより、信号の出力態様を切り換えることができる。例えばオンオフの切り換えのみならず、付勢される方向によって異なるパターン処理を実行させることもできる。これにより操作性は更に向上する。なお、両方向を検知するものでなくても例えば一方、又は他方の付勢を検知するジョグスイッチでも利用可能である。
【００９１】
また本実施形態では特に、係止部１９１，１９２は、筐体２１の回動に伴って回動する操作子１６２の回動軌跡上に位置する。それ故、筐体２１の回動方向と、操作子１６２の付勢方向とを一致させ易い。故に操作子１６２は回動方向とは反対方向に無理なく付勢されることができる。
【００９２】
また本実施形態では特に、筐体２１を直方体状にして角部を設けているので、例えば筐体２１の角部を叩いたり、タップするだけで、筐体２１を軽い力で簡単に傾けることができる。
【００９３】
なお本実施形態では、例えば筐体２１の右側が押された場合と、左側を押された場合とで異なる機能を割り待てるとよく、特に両機能は対照的な動作をする機能を割り当てるとよい。例えば、表示部２９に地図を表示させている場合に、一方は地図の右側スクロール、他方は地図の左側スクロール、又は一方は地図の拡大、他方は地図の縮小とする機能を割り当てるとよい。或いは、複数の画面を順に切り替えるための機能であれば、一方は順方向に切り替えるのに対し、他方は逆方向に切り替えるようにするとよい。
【００９４】
次に、本発明の第２実施形態であるサイコン２００について、図１８，図１９を参照して説明する。サイコン２００は上記実施形態の変形例である。上記第１実施形態では、筐体２１を回転させて傾けることによってスイッチを切り換える。サイコン２００は、筐体２１０を押下することによってスイッチを切り換える。
【００９５】
サイコン２００の構造について説明する。図１８に示すように、サイコン２００は、筐体２１０、ベース２０１、浮動リング２０５、カバー部材２０７等を備える。筐体２１０は表示部２９０と電装基板２５０を備える。表示部２９０は、例えば、フロントパネル２９１、液晶装置２９２、バックライト２９３を積層した構造である。フロントパネル２９１は筐体２１０の上面の開口（図示略）に配置される。電装基板２５０は筐体２１０内に取り付けられている。電装基板２５０は筐体２１０の上面、下面に対して平行に配置されている。電装基板２５０の下面には例えばタクトスイッチ２５１が取り付けられている。タクトスイッチ２５１の操作子２５２は下方に突出している。筐体２１０の底面には開口部２１１が設けられている。開口部２１１は、タクトスイッチ２５１の操作子２５２の下方に対応する位置に設けられている。
【００９６】
ベース２０１は筐体２１０の下方に配置される。ベース２０１は、所定厚を有する板状に形成されている。ベース２０１の上面の略中央には、突起部２０２が設けられている。突起部２０２は上方に円弧状に隆起している。突起部２０２は、筐体２１０の底面に設けられた開口部２１１に対して挿入可能なサイズを備える。浮動リング２０５は、ベース２０１の上面において突起部２０２を囲むようにして配置される。浮動リング２０５は例えば、ゴムやシリコン等の弾性を有する材質で形成されている。筐体２１０は浮動リング２０５上に配置される。それ故、筐体２１０はベース２０１に対して常時浮いた状態となる。なお、筐体２１０の下面とベース２０１との間には、可撓性を有するカバー部材２０７が設けられている。
【００９７】
上記のサイコン２００は、バー取付部２６０に着脱可能に取り付けられる。バー取付部２６０は、支持部２６１とリング部２６２とを備える。支持部２６１は板状に形成されている。リング部２６２は、支持部２６１の下面に取り付けられている。リング部２６２はハンドルバーを挿入して取り付ける部分である。支持部２６１の上面にベース２０１が着脱自在に固定される。
【００９８】
次に、サイコン２００を押下することによって、タクトスイッチ２５１が切り替わる仕組みについて説明する。図１８に示すように、タクトスイッチ２５１の操作子２５２は、筐体２１０の開口部２１１、又は開口部２１１よりも奥側に位置している。それ故、操作子２５２と、ベース２０１の突起部２０２の頂点との間は離間しているので、タクトスイッチ２５１は例えばオフである。
【００９９】
そして、図１９に示すように、運転者によって筐体２１０の上面が押下された場合、浮動リング２０５が筐体２１０の下面と、ベース２０１の上面との間で押し潰される。すると、筐体２１０が下方に移動する。さらにベース２０１の突起部２０２が、筐体２１０の開口部２１１を介して筐体２１０内に侵入し、タクトスイッチ２５１の操作子２５２を上方向に付勢する。これによりタクトスイッチ２５１はオフからオンに切り替わる。そして、筐体２１０から手を離せば、浮動リング２０５の弾性復帰力によって、筐体２１０は上方に押し上げられる。タクトスイッチ２５１の操作子２５２は、ベース２０１の突起部２０２から離間するので、タクトスイッチ２５１はオンからオフに切り替わる。
【０１００】
以上説明したように、第２実施形態のサイコン２００では、筐体２１０内にタクトスイッチ２５１を設け、操作子２５２を下方に突出させる。筐体２１０は浮動リング２０５によってベース２０１上に配置されている。筐体２１０の底部には開口部２１１が設けられ、その開口部２１１に対向するベース２０１には、突起部２０２が設けられている。筐体２１０を押下することによって、浮動リング２０５が押し潰され、筐体２１０が下方に移動する。すると、ベース２０１の突起部２０２が、筐体２１０の開口部２１１を介して筐体２１０内に侵入し、タクトスイッチ２５１の操作子２５２を上方向に付勢する。これによりタクトスイッチ２５１はオフからオンに切り替わることができる。
【０１０１】
また本実施形態では特に、操作子２５２は筐体２１０内に位置するので外部に露出しない。よって、異物が操作子２５２に付着するのを防止できる。それ故、操作子２５２の可動性を良好に維持できる。また筐体２１０そのものを移動操作するだけでタクトスイッチ２５１の切り換えができるのでサイコン２００の操作性を向上できる。
【０１０２】
また本実施形態では特に、筐体２１０の上面のどこを押下しても筐体２１０全体が下方に移動し、タクトスイッチ２５１の操作子２５２を付勢できる。つまり、筐体２１０全体が大きなボタンであるので、ピンポイントで押す必要が無く、さらに押し損なうことも無い。それ故、サイコン２００の確実な操作が可能である。
【０１０３】
また本実施形態では特に、筐体２１０が押下されない通常の状態では、操作子２５２は開口部２１１から出ないので、筐体２１０によって操作子２５２を保護できる。
【０１０４】
また本実施形態では特に、突起部２０２は上方に突出する凸状に形成されているので、筐体２１０が押下されることにより、操作子２５２を確実に付勢できる。また応力を集中させ易いので、操作子２５２を簡単に付勢できる。
【０１０５】
なお、本発明は上記第１，第２実施形態に限定されることなく、種々の変形が可能である。例えば上記実施形態では、サイコン２０を自転車１００のハンドルバー１５に取り付けているが、例えばハンドルステム１４やフレーム体２への取り付けも可能である。
【０１０６】
また上記実施形態では、電子機器の一例としてサイコン２０，２００を説明したが、その他の電子機器にも適用可能であり、例えば音声通話可能な携帯コンピュータ等にも適用可能である。
【０１０７】
また上記実施形態では、サイコン２０は、表示部２９に表示される画像の表示向きを縦又は横に変更可能であるが、表示向きが所定のものであって変更できないものにも適用可能である。
【０１０８】
また上記実施形態において、サイコン２０をマウント５０に取り付けた状態の向きは一例であって、サイコン２０の前後方向を自転車１００の前後方向に合わせてもよい。
【０１０９】
また上記実施形態において、サイコン２０の筐体２１は略直方体状であるが、形状についてもこれに限定されない。
【符号の説明】
【０１１０】
１  フレーム
１５  ハンドルバー
２０  サイコン
２１  筐体
３０  回転ベース
３１  突起部
３２  十字部
１００  自転車
１２３  バネ取付部
１２５  固定カバー
１４０  回転ベース蓋
１４４  バネ係止凹部
１４５  スイッチ凹部
１５０  電装基板
１６１  ジョグスイッチ
１６２  操作子
１７０  Ｕ字バネ
１９１  係止部
１９２  係止部
２００  サイコン
２０１  ベース
２０２  突起部
２０５  浮動リング
２０７  カバー部材
２１０  筐体
２１１  開口部
２５０  電装基板
２５１  タクトスイッチ
２５２  操作子
【図１】
0006010726.tif 000002
【図２】
0006010726.tif 000003
【図３】
0006010726.tif 000004
【図４】
0006010726.tif 000005
【図５】
0006010726.tif 000006
【図６】
0006010726.tif 000007
【図７】
0006010726.tif 000008
【図８】
0006010726.tif 000009
【図９】
0006010726.tif 000010
【図１０】
0006010726.tif 000011
【図１１】
0006010726.tif 000012
【図１２】
0006010726.tif 000013
【図１３】
0006010726.tif 000014
【図１４】
0006010726.tif 000015
【図１５】
0006010726.tif 000016
【図１６】
0006010726.tif 000017
【図１７】
0006010726.tif 000018
【図１８】
0006010726.tif 000019
【図１９】
0006010726.tif 000020